(57)【要約】      （修正有）【課題】照明機能とファン機能が、構造上、互いに干渉して両立性が低い。【解決手段】シーリングファンライトは、ケース１と、光源２と、ファン３と、導光板４と、パネル５とを含み、ケースは、天井から離れる一端に開口が設けられ、且つ開口端の外縁に第１の挟持部１１が設けられ、ケースの天井に向かう一端に第２の通風グリル１８が設けられ、光源は、ケースの内部に設けられ、ケースの外側に向かって光線を発射し、ファンは、光源の内側に位置し、導光板は、光源の外周に嵌設され、且つ板面が光源の発光面と面一であり、パネルは、ケースの開口端に接続され、パネルの板面に第１の通風グリルが設けられ、外縁に第２の挟持部５２が設けられ、第２の挟持部が第１の挟持部と組み合わせケースの軸方向に沿って導光板をクランプする。導光板が第１の挟持部と第２の挟持部によってクランプして固定され、照明機能とファン機能の両立性に優れる。【選択図】図１
0003232315.tif 000002
【実用新案登録請求の範囲】
【請求項１】
シーリングファンライトであって、
ケースであって、天井に取り付けるために用いられ、前記天井から離れる一端に開口が設けられ、且つ開口端の外縁に第１の挟持部が設けられ、前記ケースの天井に向かう一端に第２の通風グリルが設けられるものと、
光源であって、環状を呈して前記ケースの内部に設けられ、且つ前記ケースの外側に向かって光線を発射するものと、
ファンであって、前記ケースに接続され、且つ前記光源の内側に位置するものと、
導光板であって、前記光源の外周に嵌設され、且つ板面が前記光源の発光面と面一であるものと、
パネルであって、前記ケースの開口端に対応して接続され、前記パネルの板面に第１の通風グリルが設けられ、外縁に第２の挟持部が設けられ、前記第２の挟持部が前記第１の挟持部と組み合わせ前記ケースの軸方向に沿って前記導光板をクランプするものと、を含む、
ことを特徴とするシーリングファンライト。
【請求項２】
前記第１の挟持部は前記ケースの開口端の外縁に沿って環状に延伸する第１のボスであり、且つ前記第１のボスは前記ケースの開口端に向かって突起しており、前記第２の挟持部は前記パネルの縁部に沿って環状に延伸する第２のボスであり、且つ前記第２のボスは前記ケースの開口端に向かって突起している、
ことを特徴とする請求項１に記載のシーリングファンライト。
【請求項３】
前記ケースの内壁に、前記ケースの軸方向に沿って前記天井から離れる方向に延伸する取り付けリングが設けられ、前記取り付けリングは前記第１の挟持部と間隔を置いて設けられ、且つ前記光源は前記取り付けリングの外周壁に嵌設される、
ことを特徴とする請求項２に記載のシーリングファンライト。
【請求項４】
前記取り付けリングの外周壁に凹面が設けられ、前記光源は前記凹面に設けられる、
ことを特徴とする請求項３に記載のシーリングファンライト。
【請求項５】
前記ケースの前記天井に向かう一端に取り付け座が設けられ、前記取り付け座の一端は前記ケースの軸方向に沿って前記ケースの外部に延伸し、且つ延伸端は前記天井に接続するために用いられる、
ことを特徴とする請求項３に記載のシーリングファンライト。
【請求項６】
前記取り付け座に前記ケースの内部に連通するキャビティが設けられ、前記キャビティ内に光源駆動部材が設けられ、前記光源駆動部材は前記光源に電気的に接続される、
ことを特徴とする請求項５に記載のシーリングファンライト。
【請求項７】
前記ケースの内壁に配線溝が設けられ、前記配線溝は、一端が前記キャビティに連通し、他端が前記取り付けリングの側壁を貫通し前記第１の挟持部と前記取り付けリングとの間まで延伸し、前記光源駆動部材と前記光源との接続回線が前記配線溝内に穿設される、
ことを特徴とする請求項６に記載のシーリングファンライト。
【請求項８】
カバープレートは前記配線溝上を封止している、
ことを特徴とする請求項７に記載のシーリングファンライト。
【請求項９】
前記カバープレートの一端は前記配線溝と前記取り付けリングが上下に位置合わせされる位置に位置し、且つ前記取り付けリングの頂壁に当接し、前記カバープレートの他端は前記配線溝に沿って前記キャビティ内に挿入される、
ことを特徴とする請求項８に記載のシーリングファンライト。
【請求項１０】
前記パネルの前記ケースに向かう板面に複数の接続柱が間隔を置いて設けられ、前記ケースに複数の接続孔が間隔を置いて設けられ、複数の前記接続孔はそれぞれ複数の前記接続柱と一対一で対応し、各前記接続孔内に締結具が穿設され、且つ前記締結具は前記接続柱と螺合される、
ことを特徴とする請求項１−９のいずれか一項に記載のシーリングファンライト。
【考案の詳細な説明】
【技術分野】
【０００１】
本考案は照明器具の技術分野に属し、より具体的には、シーリングファンライトに関する。
【背景技術】
【０００２】
生活品質の向上に伴い、人々の住環境に対する追求もますます高くなり、美観及び省スペースのために、ファン機能を兼ね備える照明器具、又は照明機能を有するファンを選択して使用する人がますます多くなり、市場においてもこのタイプの製品もあるが、ファン付きの照明器具であっても、照明が可能なファンであっても、吊り構造の形態を採用することが多く、このような形態は構造が複雑であり、取り付けにくく、占有スペースが大きいだけでなく、またファンモジュールと照明モジュールの構造が重なるため、常にファンが照明光線を遮断し、又は照明モジュールが風を遮るという問題が存在し、両者の両立性が低く、使用効果が好ましくない。
【考案の概要】
【考案が解決しようとする課題】
【０００３】
本考案はシーリングファンライトを提供することを目的とし、従来技術においてファン機能を有する照明器具の構造が複雑で、ファン機能と照明機能の両立性が低く、互いに干渉するという問題を解決すべくなされたものである。
【課題を解決するための手段】
【０００４】
上記目的を実現するために、本考案が採用する技術的解決手段は、ケースと、光源と、ファンと、導光板と、パネルとを含むシーリングファンライトであり、このうち、ケースは、天井に取り付けるために用いられ、天井から離れる一端に開口が設けられ、且つ開口端の外縁に第１の挟持部が設けられ、ケースの天井に向かう一端に第２の通風グリルが設けられ、光源は、環状を呈してケースの内部に設けられ、且つケースの外側に向かって光線を発射し、ファンは、ケースに接続され、且つ光源の内側に位置し、導光板は、光源の外周に嵌設され、且つ板面が光源の発光面と面一であり、パネルは、ケースの開口端に対応して接続され、パネルの板面に第１の通風グリルが設けられ、外縁に第２の挟持部が設けられ、第２の挟持部が第１の挟持部と組み合わせケースの軸方向に沿って導光板をクランプする。
【０００５】
本願の他の実施例として、第１の挟持部はケースの開口端の外縁に沿って環状に延伸する第１のボスであり、且つ第１のボスはケースの開口端に向かって突起しており、第２の挟持部はパネルの縁部に沿って環状に延伸する第２のボスであり、且つ第２のボスはケースの開口端に向かって突起している。
【０００６】
本願の他の実施例として、ケースの内壁に、ケースの軸方向に沿って天井から離れる方向に延伸する取り付けリングが設けられ、取り付けリングは第１の挟持部と間隔を置いて設けられ、且つ光源は取り付けリングの外周壁に嵌設される。
【０００７】
本願の他の実施例として、取り付けリングの外周壁に凹面が設けられ、光源は凹面に設けられる。
【０００８】
本願の他の実施例として、ケースの天井に向かう一端に取り付け座が設けられ、取り付け座の一端はケースの軸方向に沿ってケースの外部に延伸し、且つ延伸端は天井に接続するために用いられる。
【０００９】
本願の他の実施例として、取り付け座にケースの内部に連通するキャビティが設けられ、キャビティ内に光源駆動部材が設けられ、光源駆動部材は光源に電気的に接続される。
【００１０】
本願の他の実施例として、ケースの内壁に配線溝が設けられ、配線溝は、一端がキャビティに連通し、他端が取り付けリングの側壁を貫通し第１の挟持部と取り付けリングとの間まで延伸し、光源駆動部材と光源との接続回線が配線溝内に穿設される。
【００１１】
本願の他の実施例として、カバープレートは配線溝上を封止している。
【００１２】
本願の他の実施例として、カバープレートの一端は配線溝と取り付けリングが上下に位置合わせされる位置に位置し、且つ取り付けリングの頂壁に当接し、カバープレートの他端は配線溝に沿ってキャビティ内に挿入される。
【００１３】
本願の他の実施例として、パネルのケースに向かう板面に複数の接続柱が間隔を置いて設けられ、ケースに複数の接続孔が間隔を置いて設けられ、複数の接続孔はそれぞれ複数の接続柱と一対一で対応し、各接続孔内に締結具が穿設され、且つ締結具は接続柱と螺合される。
【考案の効果】
【００１４】
本考案が提供するシーリングファンライトの有益な効果については、従来技術に比べ、本考案が提供するシーリングファンライトは、天井取り付けの方式を採用してケースが天井に接続され、光源が環状を呈しケースの内部に取り付けられ、ファンがケースの内部に接続され且つ光源の内側に位置し、導光板が第１の挟持部と第２の挟持部によってクランプして固定されることで、構造が簡単で信頼性が高く、光源から発射された光線が導光板を経由して発散し、ケースの外側に発光し照明を提供し、ファンが動作する時にケース上の第２の通風グリルから吸気し、パネル上の第１の通風グリルから排気し、室内の空気の流れを加速することができ、空気清浄の役割を果たすことができ、また、ファンが動作する時に光源に対して通風放熱の役割を果たし、それによりライトの多用途効果を達成し、照明機能とファン機能が、構造上、互いに独立し、互いに干渉せず、両立性に優れる。
【図面の簡単な説明】
【００１５】
本考案の実施例における技術的解決手段をより明確に説明するために、以下は実施例又は従来技術の説明に用いる必要がある図面を簡単に紹介し、明らかに、以下の説明における図面は単に本考案のいくつかの実施例にすぎず、当業者であれば、創造的な労働をせず、これらの図面に基づいて他の図面を得ることもできる。
【図１】本考案の実施例が提供するシーリングファンライトの分解構造の概略図である。
【図２】本考案の実施例が提供するシーリングファンライトの片側断面の構造概略図である。
【図３】図２におけるＡ箇所の部分拡大の構造概略図である。
【考案を実施するための形態】
【００１６】
以下、本考案が解決しようとする技術的問題、技術的解決手段及び有益な効果をより明確にするために、図面及び実施例を参照しながら、本考案についてさらに詳しく説明する。ここで説明される具体的な実施例は本考案を説明するためだけであり、本考案を限定するものではないことが理解されるべきである。
【００１７】
図１乃至図３を参照しながら、本考案が提供するシーリングファンライトについて説明する。前記シーリングファンライトは、ケース１と、光源２と、ファン３と、導光板４と、パネル５とを含み、このうち、ケース１は、天井に取り付けるために用いられ、天井から離れる一端に開口が設けられ、且つ開口端の外縁に第１の挟持部１１が設けられ、ケース１の天井に向かう一端に第２の通風グリル１８が設けられ、光源２は、環状を呈してケース１の内部に設けられ、且つケース１の外側に向かって光線を発射し、ファン３は、ケース１に接続され、且つ光源２の内側に位置し、導光板４は、光源２の外周に嵌設され、且つ板面が光源２の発光面と面一であり、パネル５は、ケース１の開口端に対応して接続され、パネル５の板面に第１の通風グリル５１が設けられ、外縁に第２の挟持部５２が設けられ、第２の挟持部５２が第１の挟持部１１と組み合わせケース１の軸方向に沿って導光板４をクランプする。
【００１８】
本考案が提供するシーリングファンライトの組立方式については、ファン３を従来のファンとし、その駆動部材（例えばモータ）をケース１に固着し、光源２をＬＥＤストリップライプとすることができ、光源２の発光面をケース１の外側面に向け、且つ光源２を環状でケース１の内部に固定し、続いて導光板４を光源２の外周に嵌着し、導光板４の板面を光源２と位置合わせし、さらにパネル５をケース１の開口端にかぶせて取り付けることで、第２の挟持部５２を第一挟持部１１と上下に対応させ、パネル５とケース１との締結に伴い、第２の挟持部５２と第１の挟持部１１は組み合わせ、ケース１の軸方向に沿って導光板４をクランプして固定する。
【００１９】
なお、照明器具を取り付ける時にケース１を天井に接続して取り付け、接続方式は従来のシーリングライトと同様であり、ここでは説明を省略する。
【００２０】
本考案が提供するシーリングファンライトの動作方式については、光源２から発される光線は導光板４を通してケース１の外側に発射されることにより、照明を提供し、ファン３は光源２の内側に位置し、動作時にケース１上の第２の通風グリル１８から吸気し、パネル５上の第１の通風グリル５１から排気する。光源２とファン３は、空間上、互いに独立し、互いに干渉せず、ファン３と光源２は単独で動作してもよいし、同時に動作してもよく、同時に動作する場合、ファン３は光源２が発する熱量を持ち去ることができ、それにより光源２に対して放熱の役割を果たす。
【００２１】
本考案が提供するシーリングファンライトは、従来技術に比べ、天井取り付けの方式を採用してケース１が天井に接続され、ファン３がケース１の内部に接続され、光源が環状を呈し、且つファン３が光源の内側に位置し、第１の挟持部１１と第２の挟持部５２が組み合わせて導光板４をクランプして固定することで、構造が簡単で信頼性が高く、光源２から発射された光線が導光板４を経由して発散し、ケース１の外側に発光し照明を提供し、ファン３が動作する時にケース１上の第２の通風グリル１８から吸気し、パネル５上の第１の通風グリル５１から排気し、室内の空気の流れを加速することができ、空気清浄の役割を果たし、また、ファン３が動作する時に光源２に対して通風放熱の役割を果たし、それによりライトの多用途効果を達成し、照明機能とファン機能が、構造上、互いに独立し、互いに干渉せず、両立性に優れる。
【００２２】
本考案が提供するシーリングファンライトの具体的な実施形態として、図２及び図３に示すように、第１の挟持部１１はケース１の開口端の外縁に沿って環状に延伸する第１のボスであり、且つ第１のボスはケース１の開口端に向かって突起しており、第２の挟持部５２はパネル５の縁部に沿って環状に延伸する第２のボスであり、且つ第２のボスはケース１の開口端に向かって突起している。第１のボス及び第２のボスは導光板４の両面にそれぞれ位置し、且つ導光板４をクランプして固定し、第１のボス及び第２のボスの突起面は導光板４の両面にそれぞれ貼り合わせ、それにより密封構造を形成して光源２を外部から遮断し、防水効果が高い。
【００２３】
本考案の実施例の具体的な実施形態として、図２及び図３に示すように、ケース１の内壁に、ケース１の軸方向に沿って天井から離れる方向に延伸する取り付けリング１２が設けられ、取り付けリング１２は第１の挟持部１１と間隔を置いて設けられ、且つ光源２は取り付けリング１２の外周壁に嵌設される。取り付けリング１２は光源２の取り付けと固定を容易にし、取り付けられた後の光源２の発光面がケース１の外側に向くことを確保し、また、取り付けリング１２は光源２とファン３を互いに独立した取り付け空間に分割し、両者が互いに干渉することを回避する。
【００２４】
本実施例において、図３に示すように、取り付けリング１２の外周壁に凹面１２１が設けられ、光源２は凹部面１２１に設けられる。この設計はスペースを節約することができ、スペースの利用率を向上させ、また、凹面１２１の位置により、取り付け業者が光源２の取り付け位置を正確に判断することは可能であり、取り付け作業が容易になる。
【００２５】
本考案の実施例の具体的な実施形態として、図１又は図２に示すように、ケース１の天井に向かう一端に取り付け座１３が設けられ、取り付け座１３の一端はケース１の軸方向に沿ってケース１の外部に延伸し、且つ延伸端は天井に接続するために用いられ、他端はファン３の駆動部材に固着される。取り付け座１３を介して天井に接続すると、天井取り付けを容易にすることができる一方で、ケース１と天井との間に一定の空間を置くことができ、それによりファン３が動作する時にケース１と天井との間の隙間から吸気し、第１の通風グリル５１から排気することが可能になることを保証し、空気流動性が高い。
【００２６】
本考案の実施例の具体的な実施形態として、図１及び図２に示すように、取り付け座１３にケース１の内部に連通するキャビティ１３０が設けられ、キャビティ１３０内に光源駆動部材２０が設けられ、光源駆動部材２０は光源２に電気的に接続される。光源駆動部材２０を取り付け座１３のキャビティ１３０内に設けると、スペースを節約し、ファン３の十分な取り付けスペースを確保することができる一方で、ファン３が回転する時に発生する空気流れは光源駆動部材２０に対して良好な放熱効果を果たすことができ、光源２の安定的な動作を確保する。
【００２７】
本考案の実施例の具体的な実施形態として、図１及び図２に示すように、ケース１の内壁に配線溝１４が設けられ、配線溝１４は、一端がキャビティ１３０に連通し、他端が取り付けリング１２の側壁を貫通し第１の挟持部１１と取り付けリング１２との間まで延伸し、光源駆動部材２０と光源２との接続回線が配線溝１４内に穿設される。ケース１の内壁に配線溝１４を設けると、接続回線は配線溝１４内に収容することができ、この設計はスペースを節約することができ、また、回線によるファン３の回転に対する干渉を回避することができ、安全に使用できることを確保する。
【００２８】
本実施例において、図１及び図２に示すように、カバープレート１５は配線溝１４上を封止している。カバープレート１５によって接続回線を配線溝１４内に封止し、接続回線が配線溝１４内に脱落するとファン３が接続回線を切断し、光源２の停電又は回線の漏電を引き起こすことを回避し、使用プロセスが安全で信頼できることを確保する。
【００２９】
本考案の実施例の具体的な実施形態として、図２及び図３に示すように、カバープレート１５の一端は配線溝１４と取り付けリング１２が上下に位置合わせされる位置に位置し、且つ当該端は取り付けリング１２の頂壁に当接し、カバープレート１５の他端は配線溝１４に沿ってキャビティ１３０内に挿入される。配線溝１４が取り付けリング１２を貫通する位置で取り付けリング１２の頂壁をケース１から分離させることができ、それにより接続回線の貫通に適する孔を形成し、接続回線の取り付けが完了した後、カバープレート１５の一端を配線溝１４に沿ってキャビティ１３０内に挿入し、他端を孔内に押し込み且つ取り付けリング１２の頂壁に当接させ、それによりカバープレート１５は配線溝１４上を封止することになり、操作しやすく、着脱しやすく、接続回線の検査が容易になる。
【００３０】
本考案の実施例の具体的な実施形態として、図１又は図２に示すように、パネル５のケース１に向かう板面に複数の接続柱５３が間隔を置いて設けられ、ケース１に複数の接続孔１６が間隔を置いて設けられ、複数の接続孔１６はそれぞれ複数の接続柱５３と一対一で対応し、各接続孔１６内に締結具１７が穿設され、且つ締結具１７は接続柱５３と螺合される。
【００３１】
本考案の実施例の具体的な実施方式として、図１に示すように、第１の通風グリル５１はパネル５の中心、周方向に沿って分布する複数の帯状グリル構造を含む。この設計は良好な通風と発散の効果があり、風速を遅くすることができ、ファン３から吹き出される風を柔らかくし、快適性に優れ、使用体験を向上させる。
【００３２】
以上は本考案の好適な実施例に過ぎず、本考案を限定するものではなく、本考案の精神と原則内で行われるあらゆる修正、同等の置換及び改善などは、いずれも本考案の保護範囲内に含まれるべきである。
【符号の説明】
【００３３】
１...ケース、１１...第１の挟持部、１２...取り付けリング、１２１...凹面、１３...取り付け座、１３０...キャビティ、１４...配線溝、１５...カバープレート、１６...接続孔、１７...締結具、１８...第２の通風グリル、２...光源、２０...光源駆動部材、３...ファン、４...導光板、５...パネル、５１...第１の通風グリル、５２...第２の挟持部、５３...接続柱。
【図１】
0003232315.tif 000003
【図２】
0003232315.tif 000004
【図３】
0003232315.tif 000005